(57)【要約】【課題】意匠パネルを変更するだけで、意匠性の高い複数種類のレジスタを、低コストで製造することができ、優れた意匠性を長期間保持することがでるレジスタを提供する。【解決手段】円筒形のリテーナ１内に円筒形の回動ルーバー２が送風方向と平行な軸の回りで回動可能に装着され、その回動ルーバー２の円筒フレーム２５内に可動フィン２０ａが回動ルーバー２の回動軸と直角な軸を支軸にして回動可能に軸支される。可動フィン２０ａが可動フィン基部２１と意匠パネル６から構成され、意匠パネル６は可動フィン基部２１の少なくとも前面を形成するように、可動フィン基部２１に固着される。【選択図】図３
0003149099.tif 000002
【実用新案登録請求の範囲】
【請求項１】
円筒形のリテーナ内に円筒形の回動ルーバーが送風方向と平行な軸の回りで回動可能に装着され、該回動ルーバーの円筒フレーム内に可動フィンが回動ルーバーの回動軸と直角な軸を支軸にして回動可能に軸支されてなるレジスタにおいて、
該可動フィンが可動フィン基部と意匠パネルから構成され、該意匠パネルは該可動フィンの少なくとも前面を形成するように該可動フィン基部に固着されたことを特徴とするレジスタ。
【請求項２】
前記意匠パネルは、前記可動フィン基部を嵌入させる嵌入凹部を内側に設けた板状に形成され、該嵌入凹部には溝部が形成される一方、該可動フィン基部に突条が形成され、該突条を該溝部に嵌入して該意匠パネルを該可動フィン基部に嵌着することを特徴とする請求項１記載のレジスタ。
【請求項３】
前記突条は、前記可動フィン基部の両側縁部に長手方向に沿って突設され、前記意匠パネルの嵌入凹部の両側縁部には長手方向に沿って前記溝部が形成され、該突条を該溝部内に滑らせながら嵌入させるように構成したことを特徴とする請求項２記載のレジスタ。
【請求項４】
前記意匠パネルの嵌入凹部内に係止爪が設けられ、前記可動フィン基部を該嵌入凹部の定位置まで嵌め込んだとき、該可動フィン基部の縁部が該係止爪に係止されるように構成したことを特徴とする請求項３記載のレジスタ。
【考案の詳細な説明】
【技術分野】
【０００１】
本考案は、主に自動車などの空調装置の空気吹出調整用に使用されるレジスタに関し、特に送風方向を調整するための回動ルーバーを備え、回動ルーバーの正面に意匠パネルを固着したレジスタに関する。
【背景技術】
【０００２】
従来、円筒形状の送風口を有する丸型のレジスタとして、送風口の送風方向に沿った中心軸の回りで回動可能な回動ルーバーを備えたレジスタが、下記特許文献１などにより知られている。
【０００３】
この種のレジスタは、円筒形に形成されたリテーナとベゼルを有し、ベゼルとリテーナの内側に、略円筒形の回動ルーバーをリテーナの中心軸と同軸上に且つ回動可能に配設して構成される。この回動ルーバーは円筒フレームと可動フィンを有して構成され、円筒フレームの内側に複数の可動フィンを、円筒フレームの前面と平行な軸を支軸として回動可能に軸支し、円筒フレームを、ベゼルとリテーナの内側に回動可能に嵌入している。
【特許文献１】特開２００１−２８０６８２号公報
【特許文献２】実用新案登録第３１２９６４５号公報
【考案の開示】
【考案が解決しようとする課題】
【０００４】
ところで、上記レジスタは、その前面の送風口を閉鎖する際、可動フィンを回動させて、フィンをレジスタの前面に平行な状態とし、可動フィンの正面をレジスタの正面に大きく露出させて閉鎖状態とする。
【０００５】
丸型のレジスタは、通常、その前面送風口が１枚或いは２枚と比較的面積の大きい可動フィンにより閉鎖されるため、可動フィンの前面意匠（模様や色彩）が単純な色彩や無模様で形成されている場合、車内の他の装飾部分との比較において、装飾性が低くなりやすく、使用者の満足感や美的嗜好を満たしにくい。
【０００６】
そこで、従来、上記特許文献２において、丸型レジスタの可動フィンの正面に、装飾を施した合成樹脂板を貼着して装飾性を向上させたレジスタが提案されている。
【０００７】
しかし、この種のレジスタは、可動ルーバーの可動フィンの正面に、装飾を施した合成樹脂板を、両面粘着テープを用いて貼着する構造であるため、両面粘着テープの粘着性能が経年変化、温度変化、湿度変化などにより劣化した場合、剛性樹脂板が剥がれ易く、合成樹脂板の一部であっても剥れが生じると、レジスタの品質、装飾性を大きく低下させるという課題があった。
【０００８】
本考案は、上述の課題を解決するものであり、意匠パネルを変更するだけで、意匠性の高い複数種類のレジスタを、低コストで製造することができ、優れた意匠性を長期間保持することがでるレジスタを提供することを目的とする。
【課題を解決するための手段】
【０００９】
上記目的を達成するために、本考案の請求項１のレジスタは、円筒形のリテーナ内に円筒形の回動ルーバーが送風方向と平行な軸の回りで回動可能に装着され、その回動ルーバーの円筒フレーム内に可動フィンが回動ルーバーの回動軸と直角な軸を支軸にして回動可能に軸支されてなるレジスタにおいて、該可動フィンが可動フィン基部と意匠パネルから構成され、該意匠パネルは該可動フィン基部の少なくとも前面を形成するように該可動フィン基部に固着されたことを特徴とする。
【００１０】
この考案によれば、基本的な部分を構成するリテーナ、回動ルーバー、可動フィン基部などの部材を通常の安価な合成樹脂により成形し、レジスタの正面に露出する意匠パネルを見栄えの良い合成樹脂により成形し、或いは意匠パネルにメッキや塗装を施して見栄え良く形成することにより、複数種類の意匠性の高いレジスタを、低コストで製造することができる。また、可動フィン基部に対し意匠パネルを固着して取り付けるため、従来の可動フィンの前面に両面粘着テープを用いて合成樹脂板を貼着した場合のように、意匠パネルは容易に剥がれる虞がなく、長期にわたり高い意匠性を保持することができる。
【００１１】
請求項２の考案は、上記請求項１のレジスタにおいて、上記意匠パネルは、前記可動フィン基部を嵌入させる嵌入凹部を内側に設けた板状に形成され、該嵌入凹部には溝部が形成される一方、該可動フィン基部に突条が形成され、該突条を該溝部に嵌入して該意匠パネルを該可動フィン基部に嵌着することを特徴とする。
【００１２】
この考案によれば、組み付け時に、可動フィン基部を、意匠パネルの内側の嵌入凹部に嵌入して、意匠パネルを可動フィン基部に対し簡単な組付け作業で強固に嵌着することができる。
【００１３】
また、請求項３の考案は、上記請求項２のレジスタにおいて、上記突条は、上記可動フィン基部の両側縁部に長手方向に沿って突設され、意匠パネル内側の両側縁部に長手方向に沿って形成された溝部内に対し、該突条を該溝部内に滑らせながら嵌入させるように構成したことを特徴とする。
【００１４】
この考案によれば、可動フィン基部を意匠パネルの内側の嵌入凹部内に、その板状平面に沿って滑らせるように差し込むだけで、意匠パネルを可動フィン基部に対し極めて簡単に嵌着することができる。
【００１５】
また、請求項４の考案は、上記請求項３のレジスタにおいて、上記意匠パネルの嵌入凹部内に係止爪が設けられ、可動フィン基部を該嵌入凹部の定位置まで嵌め込んだとき、該可動フィン基部の縁部が該係止爪に係止されるように構成したことを特徴とする。
【００１６】
この考案によれば、係止爪が可動フィン基部の縁部に係止されるので、意匠パネルは容易に外れることがなく、可動フィン基部に対し意匠パネルを更に強固に嵌着することができる。
【考案の効果】
【００１７】
本考案のレジスタによれば、意匠パネルを変更するだけで、意匠性の高い複数種類のレジスタを、低コストで製造することができ、優れた意匠性を長期間保持することがでる。
【考案を実施するための最良の形態】
【００１８】
以下、本考案の一実施形態を図面に基づいて説明する。図１はレジスタの正面図を示し、図２はそのII-II断面図を示している。また、図３はレジスタの斜め前方からの分解斜視図を示し、図９は可動フィンユニット２０の斜め後方からの斜視図を示している。図３，９におけるＦＲは前方を、ＲＥは後方を示し、可動フィンユニット２０を除くレジスタの各部材の前面、前部は図３の前方、後方に基づき、可動フィンユニット２０の前面、前部は図９の前方、後方に基づく。
【００１９】
本レジスタは、概略的には、円筒形のリテーナ１内に、円筒形の回動ルーバー２がリテーナ１の内周面を摺接しながら、送風方向と平行な軸の回りで回動可能に装着され、回動ルーバー２の円筒フレーム２５の吹出口５内に、可動フィン２０ａと補助可動フィン２２を有した可動フィンユニット２０が回動ルーバー２の回動軸（送風方向と平行な軸であって、図２に示す縦の中心軸Ｏ）と直角な軸を支軸にして回動可能に枢支され、全閉操作時、可動フィン基部２１に嵌着した意匠パネル６の前面がレジスタ正面の吹出口５を覆って閉鎖し、補助可動フィン２２は可動フィン２０ａの後方で円筒フレーム２５内の奥に位置するように構成される。
【００２０】
円筒形のリテーナ１の前部は、図３のように全体が開放され、その後部の後円筒部１２には、小物の落下防止用に、ハニカム形状の網目部４（図２）が開口部を覆うように設けられている。リテーナ１の前円筒部は、後円筒部１２に比して大径に形成され、その内側に回動ルーバー２の円筒フレーム２５が回動可能に挿入される。
【００２１】
さらに、図３のように、リテーナ１の前円筒部と後円筒部１２の境界の段差部に歯形状の操作荷重付与部９が形成される。この操作荷重付与部９は、多数の歯形を円周上に連続して配置して形成され、円筒フレーム２５に取着される弾性脚部材１９をその操作荷重付与部９に、弾性を持って噛合させることにより、回動ルーバー２を操作する際、適度な操作荷重を付与すると共に、良好な節度感を持って回動ルーバー２を回動し停止させることができるようになっている。
【００２２】
図１〜３に示すように、リテーナ１の前部外周面の３箇所に、約１２０度の間隔をおいて、係止爪１１が後述のベゼル３の係止片３１を係止するために設けられる。このような構造のリテーナ１は、合成樹脂の一体成形により形成される。
【００２３】
リテーナ１内に回動可能に挿入される回動ルーバー２は、円筒形の支持フレームを構成する円筒フレーム２５と、その円筒フレーム２５内の送風方向と平行な軸と直角な軸の回りで回動可能に軸支された可動フィンユニット２０と、及び可動フィン２０ａの可動フィン基部２１に対し２本の連結部２３を介して一体に取り付けられた補助可動フィン２２と、可動フィン基部２１の前面を覆って嵌着される意匠パネル６と備えて構成される。可動フィンユニット２０は、可動フィン基部２１、連結部２３、補助可動フィン２２、及び意匠パネル６からなり、可動フィン２０ａは可動フィン基部２１と可動フィン基部２１の前面を覆って嵌着される意匠パネル６とから構成される。
【００２４】
回動ルーバー２の円筒フレーム２５の内側には空気の吹出口５が形成され、可動フィンユニット２０を、その回動軸２４を軸に回動させて、可動フィン２０ａと補助可動フィン２２の傾斜角度を変える一方、回動ルーバー２をその中心軸Ｏ（図２）の回りで回動させて可動フィンの傾斜方向を変えて、風の吹き出し方向を上下左右或いは斜めに調整する構造となっている。
【００２５】
図３に示すように、回動ルーバー２の円筒フレーム２５における内周部の左右両側に、内壁を肉厚にした平坦部２７が設けられ、一方の平坦部２７には、可動フィンユニット２０の連結部２３に設けた回動軸２４を支持する軸受部の軸受孔２７ａが設けられる。他方の平坦部２７には、軸受凹部２７ｂが形成され、その軸受凹部２７ｂにブッシュ８と共に下側の回動軸２４が嵌め込まれる。後述のように、可動フィンユニット２０を円筒フレーム２５内に装着する際には、図３の上部の回動軸２４を、軸受孔２７ａに嵌め込んだ状態で、下部のブッシュ８と回動軸２４を軸受凹部２７ｂに嵌め込むように組み付けられる。
【００２６】
図３に示すように、回動ルーバー２の円筒フレーム２５は、リテーナ１の前円筒部内に回動可能に挿入され、円筒フレーム２５の外周面がリテーナ１の内周面にガイドされて、リテーナ１内の中心回動軸の回りで回動する構造である。
【００２７】
可動フィンユニット２０の可動フィン基部２１は、図９に示すように、一側部を半円形部２１ｃとし、他側部を矩形とした板状に形成され、半円形部２１ｃは先端ほど薄くなるよう形成される。また、可動フィン基部２１は、可動フィン２０ａの基部を構成するように小形に形成され、可動フィン基部２１の全体を覆って意匠パネル６を嵌着した可動フィン２０ａは、吹出口５を閉じ得る大きさとなるように形成されている。図３，９に示すように、可動フィン基部２１の上下両側に平坦部２１ａが形成され、この平坦部２１ａ上には、半円形部２１ｃにかけて且つその長手方向に沿って、突条２１ｂが形成される。
【００２８】
図９に示すように、可動フィン基部２１には後方に向けて２本の連結部２３が両側の平坦部２１ａの近傍から突設され、その連結部２３を介して補助可動フィン２２が、可動フィン基部２１と平行に且つ所定の間隔を開けて設けられている。この補助可動フィン２２は、図２に示すように、可動フィンの全閉時には内側に隠れるように位置し、可動フィン２０ａの開放時には、可動フィン２０ａと平行に回動し風向調整をする構造である。また、上述のように、上部の連結部２３の上面と下部の連結部２３の下面には、回動軸２４が突設され、この回動軸２４は、可動フィンユニット２０を円筒フレーム２５に組み付ける際、円筒フレーム２５の内周面の軸受孔２７ａと軸受凹部２７ｂに嵌入され、所定の角度範囲で回動可能に支持される。操作荷重付与のために下部の回動軸２４には、ゴム状弾性体からなるブッシュ８が嵌入され、回動軸２４を嵌めたブッシュ８が、円筒フレーム２５の軸受凹部に嵌入される。
【００２９】
図９に示すように、可動フィン基部２１の前面には、意匠パネル６が嵌着される。意匠パネル６は、図４〜８に示すように、略円形（小判型）の板状に合成樹脂により成形され、その内側面には、上記のように、可動フィン基部２１を嵌入するための嵌入凹部６１が板状空間として形成される。意匠パネル６の上部と下部には、円筒フレーム２５の上部と下部に設けた平坦部２７に対応して、平坦形状の平坦部６２が形成されている。さらに、嵌入凹部６１の周縁部は立上り縁部６６として形成され、嵌入凹部６１内の上部と下部には、上記可動フィン基部２１の突条２１ｂを嵌め込むための溝部６３が、平坦部６２の内側で図４、８の左右方向に沿って形成されている。意匠フィン６の内側の矩形側には補強用のリブ６５が複数本突設され、それらのリブ６５の近傍に、２個の係止爪６４が突設されている。
【００３０】
ここで、上記意匠パネル６は可動フィン２０ａの閉鎖時、レジスタの正面に現れるため、見栄えの良い合成樹脂により成形される一方、可動フィン基部２１、補助可動フィン２２、及び連結部２３は、リテーナ１及びベゼル３の内側に殆ど隠れるため、通常の合成樹脂（通常の見栄えの安価な合成樹脂）を用いて成形され、これにより、レジスタの製造コストを低減するようにしている。また、意匠パネル６の前面には、メッキ、塗装などにより各種の装飾を施すなど、各種の装飾を前面に施すことができ、これにより、前面意匠の異なる複数種類のレジスタを製造することができる。
【００３１】
一方、リテーナ１は円筒形に形成され、円筒の前部を開放し、円筒内の後部には六角形の網目を持つ網目部４（図２）が、レジスタ内への異物の挿入などを防止するために設けられる。さらに、このリテーナ１の内側には、上述のように、その内周壁に多数の突状部を並べた形状の操作荷重付与部９が円環状に形成され、この操作荷重付与部９には操作荷重付与と節度感付与用の弾性脚部材１９がその二股脚部の先端の突状曲面部を接触させ、適度な荷重で押し当てられる。この操作荷重付与部９は、リテーナ１の側壁の厚さ方向に形成された段差部に多数の突状部を円周上に並べて形成されるが、この操作荷重付与部９が弾性脚部材１９のばね弾性荷重を受けることにより、回動ルーバー２の回動操作時に適度な荷重と節度感を生じさせるようになっている。
【００３２】
図２に示すように、円筒フレーム２５の内周面に、ストッパ部２５ａが内側に膨出して設けられ、可動フィン２０ａを閉鎖位置まで回動させたとき、可動フィン２０ａの意匠パネル６の縁部がストッパ部２５ａの上部に当接し、可動フィン２０ａを閉鎖位置で停止させるようになっている。さらに、図２に示すように、円筒フレーム２５内の後方（奥側）に固定フィン２０ｂが設けられ、可動フィン２０ａの開放状態での風向調整を効果的に行ない得るようになっている。
【００３３】
上記構成のレジスタをその製造時に組み立てる場合、先ず、意匠パネル６を可動フィン基部２１の前面に嵌着する。このとき、図９に示すように、可動フィン２０ａを、その半円形部２１ｃから意匠パネル６の内側の嵌入凹部６１内に、その平面に沿って滑らせながら進入させ、さらに意匠パネル６の嵌入凹部６１内の上下両側に設けた溝部６３内に、可動フィン基部２１の上部と下部の突条２１ｂを嵌め込むようにして、意匠パネル６を可動フィン２０ａの前面に嵌着する。このとき、意匠パネル６と可動フィン基部２１の嵌着の最終段階で、可動フィン２０ａの矩形側の縁部が、意匠パネル６の嵌入凹部６１内の係止爪６４に係止され、嵌着が完了する。
【００３４】
このように、可動フィン基部２１に対する意匠パネル６の組み付けは、簡単な嵌め込み操作で行なうことができると共に、嵌着の完了時には係止爪６４が可動フィン基部２１の縁部に係止されるため、意匠パネル６は可動フィン２０ａに対し強固に固着され、容易に外れることはない。
【００３５】
次に、上記のように意匠パネル６を組み付けた可動フィン２０ａと補助可動フィン２３を有する可動フィンユニット２０を、円筒フレーム２５内に組み付ける。このとき、可動フィンユニット２０の上部の回動軸２４を、先ず円筒フレーム２５の上部の平坦部２７内側に設けた軸受孔２７ａに挿入し、その状態で、下部のブッシュ８付きの回動軸２４を、円筒フレーム２５の下部の平坦部２７内側に設けた軸受凹部２７ｂに嵌め込む。これにより、可動フィンユニット２０は、所定の角度範囲で回動可能に、円筒フレーム２５内に組み付けられる。
【００３６】
次に、可動フィンユニット２０を組み付けた円筒フレーム２５つまり回動ルーバー２をリテーナ１内に挿入し、その状態でリテーナ１の前部に、ベゼル３を嵌着する。このとき、図３に示すように、円筒フレーム２５とリテーナ１の操作荷重付与部９との間に弾性脚部材１９を介在させるように組み付ける。すなわち、二股状の脚部を有した弾性脚部材１９の中央の取付支持部を、円筒フレーム２５内の後部（奥部）の一側に設けた嵌入穴２７ｃに嵌入し、弾性脚部材１９の脚部を円筒フレーム２５の後方に突出した状態で、円筒フレーム２５をリテーナ１内に挿入する。これにより、弾性脚部材１９の二股脚部の先端が、リテーナ１の内周部に設けた操作荷重付与部９にばね弾性をもって接触した状態となる。
【００３７】
そして、回動ルーバー２を覆うように前方からベゼル３をリテーナ１の前部に嵌め込み、その係止片３１をリテーナ１側の係止爪１１に係止させる。これにより、回動ルーバー２がリテーナ１内でその中心軸Ｏの回りで回動可能に装着され、可動フィンユニット２０が中心軸Ｏと直角の軸の回りで回動して吹出口５を開放・閉鎖可能に装着され、レジスタの組み立てが完了する。
【００３８】
このような構成のレジスタは、例えば自動車のインストルメントパネルの一部に設けられた空調装置の空気吹出し口に、装着して使用される。レジスタの吹出口５に位置する可動フィン２０ａは、閉鎖した状態で、その前面を覆うように嵌着された意匠パネル６がベゼル３の内側に現れる状態となる。
【００３９】
このため、意匠パネル６を見栄えの良い合成樹脂により成形し、或いはその正面に装飾やメッキを施すなどして、見栄えを良くした意匠パネル６の意匠面がその前面に現れるため、レジスタの意匠性は優れたものとなり、レジスタの商品力を高めることができる。また、意匠パネル６は可動フィン基部２１に対し嵌着され係止爪６４で係止されるため、容易に外すことはできず、耐久性を保持することができる。また、メッキや塗装などの装飾を変えた複数種の意匠パネル６を製造し、レジスタの基本的な構造部分を共通して使用し、複数種の意匠パネル６を共通部分の可動フィン基部２１に嵌着して使用するようにすれば、前面の意匠パネル６の異なる複数種のレジスタを、低コストで製造することができる。しかも、前面に現れる意匠パネル６やベゼル３以外の部材は、安価な通常の合成樹脂を使用して成形することができるので、製造コストを下げることができる。
【００４０】
レジスタの使用時に、空調装置から送られる風の向きを調整する場合、図１０に示すように、回動ルーバー２の可動フィン２０ａの上部を指などで押して、空気の吹出し方向と平行な状態まで回動させる。これにより、可動フィンユニット２０は図１０のように開放され、この状態から可動フィンユニット２０の向きを下向き或いは上向きとすることにより、空気の吹出し方向を上側に或いは下側にと調整することができる。一方、吹出し方向を左右に変える場合、可動フィン２０ａの縁部を指などで把持して、回動ルーバー２の円筒フレーム２５を、可動フィンユニット２０と共にその円筒フレーム２５の中心軸Ｏを軸に、吹出口５の円周方向に回動させる。これにより、可動フィンユニット２０が傾斜状態にあるとき、空気の吹出し方向を左右や斜め方向に変えることができる。
【００４１】
このように、本発明のレジスタによれば、基本的な部分を構成するリテーナ１、回動ルーバー２、可動フィン基部２１などの部材を通常の安価な合成樹脂により成形し、レジスタの正面に露出する意匠パネル６を見栄えの良い合成樹脂により成形し、或いは意匠パネル６にメッキや塗装を施して見栄え良く形成することにより、各種の意匠性の高いレジスタを、低コストで製造することができる。また、可動フィン基部２１に対し意匠パネル６を固着するため、従来の可動フィンの前面に両面粘着テープを用いて合成樹脂板を貼着した場合のように、意匠パネル６は容易に剥がれる虞がなく、長期にわたり高い意匠性を保持することができる。
【００４２】
なお、上記実施形態では、可動フィン２０ａの他に１枚の補助可動フィン２３を設けたレジスタについて説明したが、補助可動フィンは２枚以上相互に間隔をあけて配設することができる。また、上記実施形態では、可動フィン基部２１に対し意匠パネル６を嵌め込むように嵌着したが、意匠パネル６を可動フィン基部２１に対し溶着し、或いは接着剤を用いて接着することもできる。
【図面の簡単な説明】
【００４３】
【図１】本考案の一実施形態を示すレジスタの正面図である。
【図２】図１のII-II断面図である。
【図３】レジスタの分解斜視図である。
【図４】意匠パネルの正面図である。
【図５】意匠パネルのV-V断面図である。
【図６】意匠パネルのVI-VI断面図である。
【図７】意匠パネルの平面図である。
【図８】意匠パネルの背面図である。
【図９】可動フィンユニットの組み付け時の斜視図である。
【図１０】可動フィンユニットを開放した状態の断面図である。
【符号の説明】
【００４４】
１      リテーナ
２      回動ルーバー
３      ベゼル
５      吹出口
６      意匠パネル
２０    可動フィンユニット
２０ａ  可動フィン
２１    可動フィン基部
２１ａ  平坦部
２１ｂ  突条
２１ｃ  半円形部
２３    連結部
２４    回動軸
２５    円筒フレーム
２７    平坦部
６１    嵌入凹部
６３    溝部
６４    係止爪
【図１】
0003149099.tif 000003
【図２】
0003149099.tif 000004
【図３】
0003149099.tif 000005
【図４】
0003149099.tif 000006
【図５】
0003149099.tif 000007
【図６】
0003149099.tif 000008
【図７】
0003149099.tif 000009
【図８】
0003149099.tif 000010
【図９】
0003149099.tif 000011
【図１０】
0003149099.tif 000012